(57)【特許請求の範囲】
【請求項１】
円筒状の音響管基材を備え、
前記音響管基材は、
前記音響管基材の長手方向に沿って形成された少なくとも一つのスリット状の間隙を有し、
前記音響管基材の外周面と前記間隙を形成する基材端面とに多数の短繊維が植毛され、
前記間隙は前記短繊維により覆われることを特徴とする音響管。
【請求項２】
前記音響管基材は、
管長手方向に沿った分割線により複数の基材パーツに分割可能とされ、
各基材パーツの外周面と前記分割線に沿った基材端面とに多数の短繊維が植毛され、
前記複数の基材パーツの基材端面が互いに合わせられることにより前記短繊維に覆われたスリット状の間隙が複数形成されることを特徴とする請求項１に記載された音響管。
【請求項３】
収音を行うマイクロホンユニットと、前記マイクロホンユニットを後端側に装着する請求項１または請求項２に記載された音響管と、
周面に複数の開口が形成され、前記音響管を収容する円筒状のケーシング管と、
を備え、
前記ケーシング管と前記音響管との間に該音響管を管内に固定する係止部材が設けられていることを特徴とする狭指向性マイクロホン。
【請求項４】
前記係止部材は、前記ケーシング管の一端部側と前記音響管の一端部側との間に設けられていることを特徴とする請求項３に記載された狭指向性マイクロホン。
【発明の詳細な説明】
【技術分野】
【０００１】
本発明は、音響管及びその音響管を用いた狭指向性マイクロホンに関し、特に水の浸入を防止することのできる音響管及びその音響管を用いた狭指向性マイクロホンに関する。
【背景技術】
【０００２】
音響管を持つ狭指向性マイクロホンは、マイクロホンユニットの前部に音響管を結合し、この結合部分から音波が入り込まないように密閉されている。このような構成は、狭い指向性を実現するが、風雑音の影響や音源が近い場合において近接効果の影響が高くなるという課題があった。
【０００３】
前記の課題を解決するものとして、本願出願人は、特許文献１において、マイクロホンユニットを収容した音響管（アルミニウム管）の管壁に複数の開口（音波導入口）を設け、この開口の外側の部分に音響抵抗（布、不織布等）を貼り付けた構成を開示している。
前記特許文献１に開示の構成によれば、従来の狭指向性マイクロホンに比べて風雑音や近接効果を低くすることができる。
【先行技術文献】
【特許文献】
【０００４】
【特許文献１】特許第２５６２２９５号公報
【発明の概要】
【発明が解決しようとする課題】
【０００５】
ところで、前記のような狭指向性マイクロホンは、周囲の雑音を排除して、ターゲットとなる音源を収音できるため、屋外で使用されることも多い。
しかしながら、特許文献１に開示したように音響管の管壁に多数の開口を設けた構造にあっては、雨等によって音響管が濡れると、管壁の開口に貼付された音響抵抗材に水が浸み込み、管内部に水が浸入してマイクロホンユニットの故障の原因となるという課題があった。
【０００６】
本発明は、前記した点に着目してなされたものであり、音響管を用いた狭指向性マイクロホンにおいて、音響管が雨等で濡れても、マイクロホンユニットの収容空間への水の浸入を防止することのできる音響管及びその音響管を用いた狭指向性マイクロホンを提供することを目的とする。
【課題を解決するための手段】
【０００７】
前記した課題を解決するために、本発明に係る音響管は、円筒状の音響管基材を備え、前記音響管基材は、前記音響管基材の長手方向に沿って形成された少なくとも一つのスリット状の間隙を有し、前記音響管基材の外周面と前記間隙を形成する基材端面とに多数の短繊維が植毛され、前記間隙は前記短繊維により覆われることに特徴を有する。
尚、前記音響管基材は、管長手方向に沿った分割線により複数の基材パーツに分割可能とされ、各基材パーツの外周面と前記分割線に沿った基材端面とに多数の短繊維が植毛され、前記複数の基材パーツの基材端面が互いに合わせられることにより前記短繊維に覆われたスリット状の間隙が複数形成されることが望ましい。
【０００８】
このような構成によれば、音響管において管の長手方向に沿ったスリット状の間隙が形成され、その間隙を覆う短繊維が音響抵抗材として機能するように構成される。また、前記音響管の外周面には多数の短繊維が植毛されているため、外周面において水を弾き、さらに前記間隙は前記短繊維に覆われているため、管内部への水の浸入を防止することができる。
【０００９】
また、前記課題を解決するために本発明に係る狭指向性マイクロホンは、収音を行うマイクロホンユニットと、前記マイクロホンユニットを後端側に装着する前記音響管と、周面に複数の開口が形成され、前記音響管を収容する円筒状のケーシング管と、を備え、前記ケーシング管と前記音響管との間に該音響管を管内に固定する係止部材が設けられていることに特徴を有する。
尚、前記係止部材は、前記ケーシング管の一端部側と前記音響管の一端部側との間に設けられていることが望ましい。
【００１０】
このような構成によれば、前記音響管がケーシング管に挿入され、該ケーシング管と音響管との間に係止部材が設けられることによって、前記間隙を覆う短繊維が圧縮され、その圧縮強さにより間隙における音響抵抗が調整可能となされる。
また、ケーシング管の一端部側において音響管との間に係止部材が設けられることにより、前記間隙は、音響管の一端側から他端側に向けて徐々に隙間の大きさ（音響抵抗の大きさ）が変化する。これにより、一端側から他端側に向けて径が拡がるホーンのように音響管を用いることができる。
【発明の効果】
【００１１】
音響管が雨等で濡れても、マイクロホンユニットの収容空間への水の浸入を防止することのできる音響管及びその音響管を用いた狭指向性マイクロホンを得ることができる。
【図面の簡単な説明】
【００１２】
【図１】図１（ａ）は、本発明に係る音響管の短手方向の断面図であり、図１（ｂ）は長手方向の断面図である。
【図２】図２は、図１の音響管を構成する基材パーツの短手方向の断面図であり、図２（ｂ）は、その長手方向の断面図である。
【図３】図３（ａ）は、図１の音響管を構成する基材パーツに短繊維を植毛した状態の該基材パーツの短手方向の断面図であり、図３（ｂ）は、その長手方向の断面図である。
【図４】図４は、図１の音響管を収容可能なケーシング管の側面図である。
【図５】図５は、図１の音響管を収容した状態のケーシング管の長手方向の断面図である。
【図６】図６は、図１の音響管を収容した状態のケーシング管の短手方向の断面図である。
【発明を実施するための形態】
【００１３】
以下、本発明の実施の形態を図面に基づき説明する。図１（ａ）は、本発明に係る音響管の短手方向の断面図であり、図１（ｂ）は長手方向の断面図である。
尚、図示する音響管は、その後端に図示せぬマイクロホンユニットの前部音響端子側が接続され、前記マイクロホンユニットと協働して狭指向性を奏するために用いられるものであり、これにより狭指向性マイクロホンが構成される。
図１（ａ）、図１（ｂ）に示すように、この音響管１は例えば樹脂により形成された長尺円筒状の音響管基材２を有する。この音響管基材２の外周面等には、多数の短繊維（パイル）が植毛されている。
【００１４】
具体的に説明すると、音響管基材２は、図示するように管長手方向に沿った分割線により例えば二分割されており、基材パーツ２Ａと基材パーツ２Ｂとにより構成される。分割された二つの基材パーツ２Ａ、２Ｂは、分割面２Ａ１、２Ｂ１（分割線に沿った基材端面）を互いに対向させ合わせられることにより円筒状を形成する。前記基材パーツ２Ａと基材パーツ２Ｂの外周面２Ａ２、２Ｂ２、及び分割面２Ａ１、２Ｂ１には、短繊維（パイル）３が植毛されている。分割面２Ａ１、２Ｂ１同士が合わせられる部分には互いの短繊維３に覆われたスリット状の間隙１０が形成されている（左右両側に２つの間隙１０が形成される）。この間隙１０に設けられる短繊維３は音響抵抗材として機能する。
【００１５】
この音響管１を作製する手順を説明する。図２（ａ）および図２（ｂ）に示した断面を有する基材パーツ２Ａ（２Ｂ）が形成される。
次いで、基材パーツ２Ａ（２Ｂ）の外表面２Ａ２（２Ｂ２）、及び分割面２Ａ１（２Ｂ１）に対し、例えば静電植毛により多数の短繊維（パイル）３が形成される。
【００１６】
この静電植毛は、例えば、以下の手順で行われる。基材パーツ２Ａ（２Ｂ）の植毛要する対象表面に予め接着剤が塗布される。植毛（付着）させたい短繊維３が図示せぬ電極板上に配置され、前記対象表面と電極板との間に直流の高電圧が印加される。
【００１７】
前記対象表面に例えば陽極（プラス）電位が、前記電極板に負極（マイナス）電位が印加されると、前記短繊維３に分極が生じる。マイナス電荷を帯びた短繊維３は前記対象表面に引き付けられて植毛される。すなわち、図３（ａ）の短手方向の断面図及び図３（ｂ）の長手方向の断面図に示すように、接着剤の硬化によりその植毛状態は機械的に保持される。
【００１８】
前記した静電植毛を利用すると、植毛された短繊維３の頂端部が同極（プラス電位）になされるために、各短繊維３の頂端部同士が反発し合う作用が生じ、これにより短繊維３は植毛面に対して夫々垂直に立つようにして植毛される。
尚、短繊維３の長さは、好ましくは、０．２〜２ｍｍである。また、短繊維の素材としては、レーヨン、ポリアミド、ポリエステル繊維などを適宜利用することができる。
【００１９】
このようにして図３（ａ）、図３（ｂ）に示すような基材パーツ２Ａ、２Ｂが形成され、図１に示すように、それらの分割面２Ａ１、２Ｂ１が短繊維３を挟んで組み合わせられる。このことにより円筒状の音響管１が完成する。
この音響管１によれば、その外周面に短繊維（パイル）３が植毛されているため、雨等で外周面が濡れても水を弾くことができる。さらに、間隙１０は短繊維（パイル）３により覆われているため、間隙１０から管内部への水の浸入を防ぐことができる。
【００２０】
また、前記したように音響管１は二つの基材パーツ２Ａ、２Ｂを単に合わせたものであるため、それらを固定する手段が必要である。
本実施の形態においては、前記固定手段として図４に示すようなケーシング管５が用いられる。このケーシング管５は音響管１を収納可能な例えば樹脂製の円筒管であって、その周面には例えば管長手方向に沿って多数の開口５ａが形成されている。
【００２１】
前記ケーシング管５に音響管１を挿入されると、基材パーツ２Ａ、２Ｂは簡易的に一体となされる。この状態では、音響管１がケーシング管５内で固定されない虞がある。そのため本実施の形態においては、図５に示すようにケーシング管５と音響管１との間にスペーサ（係止部材）６が配置される。このスペーサ６は円筒状であってもよいが、円筒状でなくてもよい。少なくとも基材パーツ２Ａ、２Ｂが互いに密着する方向に押圧力が与えられるように、部分的に複数のスペーサ６が配置されてもよい。スペーサ６は、管内に音響管１を固定するだけでなく、間隙１０を覆う短繊維３を圧縮する。そのため、スペーサ６の圧縮強さ（押圧力）を変化させることにより、スペーサ６は間隙１０における音響抵抗の調整を可能にする。また、音響抵抗の大きさを調整できるため、収音の指向角を変化させることができる。
尚、前記スペーサ６の材料としては、例えば、ポリカーボネイト、ＡＢＳ等を用いることができる。
【００２２】
また、図示するようにケーシング管５内の一端部側のみにスペーサ６が設けられることにより、音響管１の基材パーツ２Ａ、２Ｂを合わせた部分の間隙１０が音響管１の一端側から他端側に向かって徐々に拡がるようになされる。これにより音響管１の一端部側から他端部側に向かって音響抵抗の大きさが徐々に低くなるように構成することができ、音響管１をホーンのように用いることができる。
【００２３】
尚、前記のようにケーシング管５には多数の開口５ａが形成されているため、ケーシング管５による収音への影響は大きく低減される。
また、前記ケーシング管５の開口５ａから水が浸入しても音響管１の外面において水が弾かれ、開口５ａから水が排出されるため、ケーシング管５内に水が溜まることがない。
【００２４】
以上のように本発明に係る実施の形態によれば、音響管１（音響管基材２）が基材パーツ２Ａ、２Ｂの二つに分割されることにより、管の長手方向に沿ったスリット状の間隙１０が形成される。その間隙１０を覆う短繊維３は音響抵抗材として機能する。また、前記音響管１の外周面には多数の短繊維３が植毛されているため、本実施の形態における音響管は、外周面において水を弾き、さらに間隙１０が短繊維３に覆われているため、管内部への水の浸入を防止する。
また、前記音響管１は、二つの前記基材パーツ２Ａ、２Ｂがケーシング管５に挿入されることによって構成されており、ケーシング管５の一端部側において音響管１との間に設けられた係止部材６によってケーシング管５内に固定される。
これにより、前記間隙１０の大きさ（音響抵抗の大きさ）は音響管１の一端側から他端側に向けて徐々に変化するため、音響管１は他端側に向けて径が拡がるホーンのように機能する。
【００２５】
尚、前記実施の形態においては、音響管１を二つに分割することによって、管長手方向に沿ったスリット状の間隙１０を二つ形成するものとしたが、本発明にあってはその形態に限定されるものではない。
例えば、三分割以上に分割された音響管１により、スリット状の間隙１０が３つ以上形成されてもよい。
或いは、音響管１が分割されず、音響管１の長手方向に沿って１つのスリット状の間隙１０が形成されてもよい。
【００２６】
また、前記実施の形態においては、ケーシング管５の一端部側において、該ケーシング管５と音響管１との間にスペーサ６を設ける構成としたが、本発明にあっては、その形態に限定されるものではない。
例えば、ケーシング管５の中央付近、或いはケーシング管５の両端側などにおいて、ケーシング管５と音響管１との間にスペーサ６が設けられ、短繊維３が略均一に圧縮されるように音響管１が構成されてもよい。
【符号の説明】
【００２７】
１            音響管
２            音響管基材
２Ａ          基材パーツ
２Ａ１        分割面（基材端面）
２Ａ２        外周面
２Ｂ          基材パーツ
２Ｂ１        分割面（基材端面）
２Ｂ２        外周面
３            短繊維
５            ケーシング管
５ａ          開口
６            スペーサ（係止部材）
１０          間隙
【図１】
0006633910.tif 000002
【図２】
0006633910.tif 000003
【図３】
0006633910.tif 000004
【図４】
0006633910.tif 000005
【図５】
0006633910.tif 000006
【図６】
0006633910.tif 000007